(57)【要約】【課題】キーロックカラーとステアリングシャフトとの間に作用するすべりトルクを所定の値に設定することが容易なステアリング装置を提供する。【解決手段】キーロックカラー７の内周面７１は、ステアリングシャフト３の縮径部３２との間が、非接触の非接触部を形成している。すなわち、キーロックカラー７の内周面７１の軸方向の両端の長さＬ３とＬ４の範囲だけが、ステアリングシャフト３の外周面３１と互いに弾性変形して接触する弾性接触面を構成している。そのため、ステアリングシャフト３やキーロックカラー７の外周面３１や内周面７１の曲がりや、外周面３１や内周面７１の直径寸法の誤差があっても、キーロックカラー７の内周面７１とステアリングシャフト３の外周面３１との間に作用するすべりトルクの変動が小さくなり、安定した所定のすべりトルクを得ることが容易になる。【選択図】図３
2010163115.tif 000002
【特許請求の範囲】
【請求項１】
コラムに回転可能に軸支され、車体後方側にステアリングホイールを装着可能な中空円筒状のステアリングシャフト、
上記ステアリングシャフトの外周面に外嵌される内周面を有し、キーロック孔が形成されたキーロックカラー、
上記コラムに設けられ、イグニションキーの操作によってその先端部が上記キーロック孔に係合可能なロックキーを備え、
上記キーロックカラーの自由状態における内周面の直径を、上記ステアリングシャフトの自由状態における外周面の直径よりも小さくして、キーロックカラーの内周面とステアリングシャフトの外周面が弾性変形して接触する弾性接触面を有するステアリング装置において、
上記ステアリングシャフトの外周面、または、上記キーロックカラーの内周面に逃げ部を形成して、上記キーロックカラーの内周面の一部に、キーロックカラーの内周面とステアリングシャフトの外周面が非接触の非接触部を形成したこと
を特徴とするステアリング装置。
【請求項２】
請求項１に記載されたステアリング装置において、
上記逃げ部は、上記ステアリングシャフトの外周面の軸方向の一部に形成した縮径部であること
を特徴とするステアリング装置。
【請求項３】
請求項２に記載されたステアリング装置において、
上記縮径部には、上記キーロックカラーの圧入方向に向かって徐々に拡径するテーパが形成されていること
を特徴とするステアリング装置。
【請求項４】
請求項２に記載されたステアリング装置において、
上記ステアリングシャフトの外周面には潤滑油溝が形成されていること
を特徴とするステアリング装置。
【請求項５】
請求項１に記載されたステアリング装置において、
上記逃げ部は、上記ステアリングシャフトの外周面に形成した螺旋状溝であること
を特徴とするステアリング装置。
【請求項６】
請求項１に記載されたステアリング装置において、
上記逃げ部は、上記キーロックカラーの内周面の軸方向の一部に形成した拡径部であること
を特徴とするステアリング装置。
【請求項７】
請求項１に記載されたステアリング装置において、
上記逃げ部は、上記キーロックカラーの内周面の軸方向の全長にわたって形成した拡幅部であること
を特徴とするステアリング装置。
【発明の詳細な説明】
【技術分野】
【０００１】
本発明はステアリング装置、特に、イグニションキーをロック位置に回して鍵穴から引き抜くと、自動車の盗難防止のため、ステアリングホイールが回らないようにロックするステアリングロック装置を有するステアリング装置に関する。
【背景技術】
【０００２】
ステアリングロック装置を有するステアリング装置においては、イグニションキーをロック位置に回して鍵穴から引き抜くと、ロックキーがステアリングシャフトの軸心側に向かって突出する。その結果、ステアリングシャフトの外周に圧入されたキーロックカラーのキーロック孔に、ロックキーの先端が係合して、ステアリングシャフトをアウターコラムに対して固定して、ステアリングシャフトの回転を阻止するようにしている。
【０００３】
しかし、ステアリングシャフトがロックされている状態で、力の強い者がステアリングホイールを無理に回転させると、ロックキーが破壊されてステアリングロック装置の機能が喪失し、盗難防止装置としての機能が損なわれる可能性がある。
【０００４】
盗難防止装置としての機能を維持するためには、ステアリングシャフトに大きなトルクが加えられた場合に、キーロックカラーがステアリングシャフトに対してすべって回転するようにして、ロックキーが破壊しないようにする必要がある。すなわち、キーロックカラーの内周面とステアリングシャフトの外周面との間に作用するすべりトルク（摩擦力）が、ロックキーを破壊するのには不足するが、自動車の運行に必要なステアリング操作を行なえない程度の大きさを有するように設定する必要がある。
【０００５】
特許文献１のステアリング装置は、ステアリングシャフトの外周面に外嵌されるキーロックカラーの内周面を非円形とし、キーロックカラーの自由状態における内周面の内接円の直径を、ステアリングシャフトの自由状態における外周面の直径よりも小さく形成して圧入している。また、ステアリングシャフト、または、ステアリングシャフトとキーロックカラーの両方に焼き入れを施している。これによって、キーロックカラーの内周面とステアリングシャフトの外周面との間に作用するすべりトルクを安定させている。
【０００６】
特許文献１のステアリング装置は、ステアリングシャフトとキーロックカラーとの嵌合部の軸方向の全長に渡って、キーロックカラーの内周面をステアリングシャフトの外周面に弾性変形させて接触させている。そのため、所定のすべりトルクを得るためには、ステアリングシャフトとキーロックカラーとの嵌合部の軸方向の全長に渡って所定の締代になるように、キーロックカラーやステアリングシャフトを精度良く製造することが必要となる。
【０００７】
しかし、キーロックカラーやステアリングシャフトに製造誤差があって、嵌合部の軸方向の全長に渡って均一な所定の締代が得られないと、キーロックカラーの内周面とステアリングシャフトの外周面との間に作用するすべりトルクが変動し、所定のすべりトルクを得ることが難しくなる。また、安定したすべりトルクを得るためには、キーロックカラーとステアリングシャフトを精度良く製造する必要があるため、製造コストが上昇する恐れがあった。
【先行技術文献】
【特許文献】
【０００８】
【特許文献１】特開２００６−３３５１６５号公報
【発明の概要】
【発明が解決しようとする課題】
【０００９】
本発明は、キーロックカラーとステアリングシャフトとの間に作用するすべりトルクを所定の値に設定することが容易なステアリング装置を提供することを課題とする。
【課題を解決するための手段】
【００１０】
上記課題は以下の手段によって解決される。すなわち、第１番目の発明は、コラムに回転可能に軸支され、車体後方側にステアリングホイールを装着可能な中空円筒状のステアリングシャフト、上記ステアリングシャフトの外周面に外嵌される内周面を有し、キーロック孔が形成されたキーロックカラー、上記コラムに設けられ、イグニションキーの操作によってその先端部が上記キーロック孔に係合可能なロックキーを備え、上記キーロックカラーの自由状態における内周面の直径を、上記ステアリングシャフトの自由状態における外周面の直径よりも小さくして、キーロックカラーの内周面とステアリングシャフトの外周面が弾性変形して接触する弾性接触面を有するステアリング装置において、上記ステアリングシャフトの外周面、または、上記キーロックカラーの内周面に逃げ部を形成して、上記キーロックカラーの内周面の一部に、キーロックカラーの内周面とステアリングシャフトの外周面が非接触の非接触部を形成したことを特徴とするステアリング装置である。
【００１１】
第２番目の発明は、第１番目の発明のステアリング装置において、上記逃げ部は、上記ステアリングシャフトの外周面の軸方向の一部に形成した縮径部であることを特徴とするステアリング装置である。
【００１２】
第３番目の発明は、第２番目の発明のステアリング装置において、上記縮径部には、上記キーロックカラーの圧入方向に向かって徐々に拡径するテーパが形成されていることを特徴とするステアリング装置である。
【００１３】
第４番目の発明は、第２番目の発明のステアリング装置において、上記ステアリングシャフトの外周面には潤滑油溝が形成されていることを特徴とするステアリング装置である。
【００１４】
第５番目の発明は、第１番目の発明のステアリング装置において、上記逃げ部は、上記ステアリングシャフトの外周面に形成した螺旋状溝であることを特徴とするステアリング装置である。
【００１５】
第６番目の発明は、第１番目の発明のステアリング装置において、上記逃げ部は、上記キーロックカラーの内周面の軸方向の一部に形成した拡径部であることを特徴とするステアリング装置である。
【００１６】
第７番目の発明は、第１番目の発明のステアリング装置において、上記逃げ部は、上記キーロックカラーの内周面の軸方向の全長にわたって形成した拡幅部であることを特徴とするステアリング装置である。
【発明の効果】
【００１７】
本発明の第１番目、第６番目及び第７番目の発明のステアリング装置では、ステアリングシャフトの外周面、または、キーロックカラーの内周面に逃げ部を形成して、キーロックカラーの内周面の一部に、キーロックカラーの内周面とステアリングシャフトの外周面が非接触の非接触部を形成している。従って、ステアリングシャフトやキーロックカラーの製造誤差があっても、キーロックカラーの内周面とステアリングシャフトの外周面との間に作用するすべりトルクの変動が小さくなり、安定した所定のすべりトルクを得ることが容易になる。また、キーロックカラーとステアリングシャフトの製造誤差があっても、安定したすべりトルクが得られるため、製造コストを削減することが可能となる。
【００１８】
本発明の第２番目の発明のステアリング装置では、ステアリングシャフトの外周面の軸方向の一部に逃げ部としての縮径部が形成されている。従って、ロックキーの先端をステアリングシャフトの軸心側に向かって深く挿入することができ、ロックキーをキーロック孔から外れにくくすることが可能となる。
【００１９】
本発明の第３番目の発明のステアリング装置では、縮径部には、キーロックカラーの圧入方向に向かって徐々に拡径するテーパが形成されている。従って、ステアリングシャフトやキーロックカラーの製造誤差、キーロックカラーの圧入方向の位置ずれがあっても、テーパがキーロックカラーを案内するため、ステアリングシャフトに引っ掛からずにキーロックカラーを円滑に圧入することができる。
【００２０】
本発明の第４番目及び第５番目の発明のステアリング装置では、ステアリングシャフトの外周面には潤滑油溝または螺旋状溝が形成されている。従って、潤滑油溝または螺旋状溝にグリース等の潤滑油を充填すれば、潤滑油がキーロックカラーの内周面とステアリングシャフトの外周面との間に長期間にわたって供給され、安定した所定のすべりトルクを長期間にわたって維持することが可能となる。
【図面の簡単な説明】
【００２１】
【図１】本発明の実施例１のステアリング装置の全体を示す側面図である。
【図２】図１の要部の縦断面図である。
【図３】本発明の実施例１のステアリングシャフトとキーロックカラーとの嵌合部を示す拡大縦断面図である。
【図４】本発明の実施例２のステアリングシャフトとキーロックカラーとの嵌合部を示す拡大縦断面図である。
【図５】（１）は本発明の実施例３のステアリングシャフトとキーロックカラーとの嵌合部を示す拡大縦断面図、（２）は（１）のＡ−Ａ断面図、（３）は（１）のＢ−Ｂ断面図、（４）は（１）のＣ−Ｃ断面図である。
【図６】本発明の実施例４のステアリングシャフトとキーロックカラーとの嵌合部を示す拡大縦断面図である。
【図７】本発明の実施例５のステアリングシャフトとキーロックカラーとの嵌合部を示す拡大縦断面図である。
【図８】（１）は本発明の実施例６のステアリングシャフトとキーロックカラーとの嵌合部を示す拡大縦断面図、（２）は（１）のＤ−Ｄ断面図である。
【発明を実施するための形態】
【００２２】
以下、図面に基づいて本発明の実施例１から実施例６を説明する。
【実施例１】
【００２３】
図１は本発明の実施例１のステアリング装置の全体を示す側面図である。図２は図１の要部の縦断面図である。図３は本発明の実施例１のステアリングシャフトとキーロックカラーとの嵌合部を示す拡大縦断面図である。図１及び図２に示すように、コラム１には、車体後方側にステアリングホイール２を装着したステアリングシャフト３が回転可能に軸支されている。ステアリングシャフト３の車体前方側には、上自在継手４１を介して、伸縮自在な中間シャフト４２が連結されている。
【００２４】
この中間シャフト４２の下端には、下自在継手４３を介して、ラック・ピニオン式等の図示しないステアリングギヤが連結され、ステアリングギヤには、タイロッドを介して車輪が連結されている。これにより、ステアリングホイール２を手で操作すると、車輪を操舵することができる。
【００２５】
コラム１の軸方向の略中間位置には、車体（図示せず）に固定されたアッパーブラケット５と、このアッパーブラケット５に対してコラム１をチルト調整するチルト調整機構６が取付けられている。
【００２６】
図２に示すように、中空円筒状のステアリングシャフト３の車体後方側は、コラム１の内周に、軸受１１によって回転可能に軸支されている。ステアリングシャフト３の外周面３１には、キーロックカラー７が圧入して固定されている。
【００２７】
キーロックカラー７には、キーロック孔７２が形成されており、図示しないイグニションキーをロック位置に回して鍵穴から引き抜くと、ロックキー８がステアリングシャフト３の軸心側に向かって突出する。その結果、キーロックカラー７のキーロック孔７２に、ロックキー８の先端が係合して、ステアリングシャフト３をコラム１に対して固定して、ステアリングシャフト３の回転を阻止するようにしている。
【００２８】
図３に示すように、本発明の実施例１では、キーロックカラー７を、機械構造用炭素鋼鋼管等の弾性を有する金属材料により、中空円筒状に形成している。そして、キーロックカラー７の軸方向の中間位置に、軸方向に長い長孔であるキーロック孔７２を形成している。キーロックカラー７の内周面７１の直径（内径）Ｄ１は、このキーロックカラー７の自由状態において、ステアリングシャフト３の自由状態における外周面３１の直径（外径）ｄ１よりも小さくしている。
【００２９】
この構成によって、ステアリングシャフト３の外周面３１と、キーロックカラー７の内周面７１とは、互いに弾性変形して接触する弾性接触面を構成している。ステアリングシャフト３の外周面３１には、外周面３１の軸方向の一部に、逃げ部としての縮径部３２が形成されている。縮径部３２の直径（外径）ｄ２は、キーロックカラー７の自由状態において、キーロックカラー７の内周面７１の直径（内径）Ｄ１よりも小さく形成している。縮径部３２の軸方向の長さＬ２は、キーロックカラー７の軸方向の長さＬ１よりも若干短く形成されている。
【００３０】
また、縮径部３２の左端と外周面３１との間には、テーパ３３が形成されている。キーロックカラー７は、図３の右側から左側に向かって（矢印８１方向）、ステアリングシャフト３の外周面３１に圧入する。テーパ３３は、キーロックカラーの圧入方向に向かって徐々に拡径している。ステアリングシャフト３やキーロックカラー７の製造誤差、例えば外周面３１や内周面７１の曲がりや、キーロックカラー７の圧入方向の位置ずれがあっても、テーパ３３がキーロックカラー７を案内するため、ステアリングシャフト３に引っ掛からずにキーロックカラー７を円滑に圧入することができる。
【００３１】
また、ステアリングシャフト３の外周面３１に縮径部３２を形成し、この縮径部３２の直径ｄ２を、キーロックカラー７の内周面７１の直径Ｄ１よりも小さく形成しているため、キーロックカラー７の内周面７１は、ステアリングシャフト３の縮径部３２との間が、非接触の非接触部を形成している。すなわち、キーロックカラー７の内周面７１の軸方向の両端の長さＬ３とＬ４の範囲だけを、ステアリングシャフト３の外周面３１と弾性接触させれば済むため、所定の締代を得ることが容易となる。
【００３２】
そのため、ステアリングシャフト３やキーロックカラー７の製造誤差、例えば外周面３１や内周面７１の曲がりや、外周面３１や内周面７１の直径寸法の誤差があっても、キーロックカラー７の内周面７１とステアリングシャフト３の外周面３１との間に作用するすべりトルク（摩擦力）の変動が小さくなり、安定した所定のすべりトルクを得ることが容易になる。
【００３３】
また、キーロックカラー７とステアリングシャフト３の製造誤差があっても、Ｌ３、Ｌ４の長さを変更することで、安定したすべりトルクが得られるため、キーロックカラー７とステアリングシャフト３の製造が容易で、製造コストを削減することが可能となる。
【００３４】
さらに、ステアリングシャフト３の外周面３１に縮径部３２が形成されているため、ロックキー８の先端をステアリングシャフト３の軸心側に向かって深く挿入することができる。従って、ロックキー８をキーロック孔７２から外れにくくすることが可能となる。
【実施例２】
【００３５】
図４は本発明の実施例２のステアリングシャフトとキーロックカラーとの嵌合部を示す拡大縦断面図である。以下の説明では、上記実施例と異なる構造部分と作用についてのみ説明し、重複する説明は省略する。また、上記実施例と同一部品には同一番号を付して説明する。
【００３６】
図４に示すように、本発明の実施例２では、実施例１と同様に、キーロックカラー７の内周面７１の直径（内径）Ｄ１は、このキーロックカラー７の自由状態において、ステアリングシャフト３の自由状態における外周面３１の直径（外径）ｄ１よりも小さくしている。
【００３７】
また、キーロックカラー７の内周面７１には、内周面７１の軸方向の中間位置に、逃げ部としての拡径部７３が形成されている。拡径部７３の直径（内径）Ｄ２は、キーロックカラー７の内周面７１の直径（内径）Ｄ１よりも大きく形成している。拡径部７３の軸方向の長さＬ５は、キーロックカラー７の軸方向の長さＬ１よりも若干短く形成されている。
【００３８】
従って、キーロックカラー７の拡径部７３は、ステアリングシャフト３の外周面３１との間が、非接触の非接触部を形成している。すなわち、キーロックカラー７の内周面７１の軸方向の両端の長さＬ６とＬ７の範囲だけを、ステアリングシャフト３の外周面３１と弾性接触させれば済むため、所定の締代を得ることが容易となる。
【００３９】
そのため、ステアリングシャフト３やキーロックカラー７の製造誤差、例えば外周面３１や内周面７１の曲がりや、外周面３１や内周面７１の直径寸法の誤差があっても、キーロックカラー７の内周面７１とステアリングシャフト３の外周面３１との間に作用するすべりトルク（摩擦力）の変動が小さくなり、安定した所定のすべりトルクを得ることが容易になる。
【００４０】
また、キーロックカラー７とステアリングシャフト３の製造誤差があっても、Ｌ６、Ｌ７の長さを変更することで、安定したすべりトルクが得られるため、キーロックカラー７とステアリングシャフト３の製造が容易で、製造コストを削減することが可能となる。
【実施例３】
【００４１】
図５（１）は本発明の実施例３のステアリングシャフトとキーロックカラーとの嵌合部を示す拡大縦断面図、図５（２）は図５（１）のＡ−Ａ断面図、図５（３）は図５（１）のＢ−Ｂ断面図、図５（４）は図５（１）のＣ−Ｃ断面図である。以下の説明では、上記実施例と異なる構造部分と作用についてのみ説明し、重複する説明は省略する。また、上記実施例と同一部品には同一番号を付して説明する。
【００４２】
図５に示すように、本発明の実施例３では、キーロックカラー７の軸方向の中間位置の長さＬ８の範囲に中空円筒状部７４が形成され、キーロックカラー７の軸方向の両端の長さＬ９とＬ１０の範囲に四角筒状部７５、７５が形成されている。即ち、四角筒状部７５、７５は、大きな曲率半径で円弧状凸面とした４個所の辺部７５１と、この辺部７５１の円周方向両端同士を、小さな曲率半径で円弧状凸面とした４個所の角部７５２により滑らかに接続した形状にしている。
【００４３】
この様に四角筒状部７５、７５を形成する事で、キーロックカラー７の軸方向の両端の長さＬ９とＬ１０の範囲を非円形にしている。四角筒状部７５、７５の内接円の直径（内径）Ｄ３は、このキーロックカラー７の自由状態において、ステアリングシャフト３の自由状態における外周面３１の直径（外径）ｄ１よりも小さくしている。
【００４４】
すなわち、キーロックカラー７の軸方向の両端の四角筒状部７５、７５だけを、ステアリングシャフト３の外周面３１と弾性接触させれば済むため、所定の締代を得ることが容易となる。
【００４５】
また、キーロックカラー７の軸方向の中間位置の長さＬ８の範囲の中空円筒状部７４の内周面７１の直径Ｄ１は、ステアリングシャフト３の外周面３１の直径ｄ１よりも若干大きくしている。すなわち、内周面７１は逃げ部を構成している。従って、キーロックカラー７の中空円筒状部７４の内周面７１は、ステアリングシャフト３の外周面３１との間が、非接触の非接触部を形成する。
【００４６】
そのため、ステアリングシャフト３やキーロックカラー７の製造誤差、例えば外周面３１や四角筒状部７５、７５の内接円の曲がりや、外周面３１や四角筒状部７５、７５の内接円の直径寸法の誤差があっても、キーロックカラー７の四角筒状部７５、７５の内接円とステアリングシャフト３の外周面３１との間に作用するすべりトルク（摩擦力）の変動が小さくなり、安定した所定のすべりトルクを得ることが容易になる。
【００４７】
また、キーロックカラー７とステアリングシャフト３の製造誤差があっても、Ｌ８の長さを変更することで、安定したすべりトルクが得られるため、キーロックカラー７とステアリングシャフト３の製造が容易で、製造コストを削減することが可能となる。
【実施例４】
【００４８】
図６は本発明の実施例４のステアリングシャフトとキーロックカラーとの嵌合部を示す拡大縦断面図である。以下の説明では、上記実施例と異なる構造部分と作用についてのみ説明し、重複する説明は省略する。また、上記実施例と同一部品には同一番号を付して説明する。
【００４９】
実施例４は実施例１の変形例であって、ステアリングシャフト３の外周面３１に潤滑油溝を追加した例である。すなわち、図６に示すように、本発明の実施例４では、実施例１と同様に、キーロックカラー７の内周面７１の直径（内径）Ｄ１は、このキーロックカラー７の自由状態において、ステアリングシャフト３の自由状態における外周面３１の直径（外径）ｄ１よりも小さくしている。また、ステアリングシャフト３の外周面３１には、実施例１と同様に、外周面３１の軸方向の中間位置に、逃げ部としての縮径部３２が形成されている。
【００５０】
また、ステアリングシャフト３の外周面３１には、キーロックカラー７の内周面７１の軸方向の両端の長さＬ３とＬ４の範囲の弾性接触面に、環状の潤滑油溝３４、３４が形成されている。潤滑油溝３４、３４の溝底の直径ｄ３は、ステアリングシャフト３の外周面３１の直径ｄ１よりも小さくしている。この潤滑油溝３４、３４にグリース等の潤滑油を充填すれば、潤滑油がキーロックカラー７の内周面７１とステアリングシャフト３の外周面３１との間に長期間にわたって供給され、安定した所定のすべりトルクを長期間にわたって維持することが可能となる。
【実施例５】
【００５１】
図７は本発明の実施例５のステアリングシャフトとキーロックカラーとの嵌合部を示す拡大縦断面図である。以下の説明では、上記実施例と異なる構造部分と作用についてのみ説明し、重複する説明は省略する。また、上記実施例と同一部品には同一番号を付して説明する。
【００５２】
図７に示すように、本発明の実施例５では、実施例１と同様に、キーロックカラー７の内周面７１の直径（内径）Ｄ１は、このキーロックカラー７の自由状態において、ステアリングシャフト３の自由状態における外周面３１の直径（外径）ｄ１よりも小さくしている。
【００５３】
また、ステアリングシャフト３の外周面３１には、逃げ部としての螺旋状溝３５が形成されている。螺旋状溝３５の軸方向の長さＬ１１は、キーロックカラー７の軸方向の全長Ｌ１よりも若干短く形成されている。螺旋状溝３５の溝底の直径ｄ４は、ステアリングシャフト３の外周面３１の直径ｄ１よりも小さくしている。
【００５４】
従って、キーロックカラー７の内周面７１は、ステアリングシャフト３の螺旋状溝３５との間が、非接触の非接触部を形成するため、所定の締代を得ることが容易となる。そのため、ステアリングシャフト３やキーロックカラー７の製造誤差、例えば外周面３１や内周面７１の曲がりや、外周面３１や内周面７１の直径寸法の誤差があっても、キーロックカラー７の内周面７１とステアリングシャフト３の外周面３１との間に作用するすべりトルク（摩擦力）の変動が小さくなり、安定した所定のすべりトルクを得ることが容易になる。
【００５５】
また、キーロックカラー７とステアリングシャフト３の製造誤差があっても、螺旋状溝３５の溝幅と軸方向の長さＬ１１を変更することで、安定したすべりトルクが得られるため、キーロックカラー７とステアリングシャフト３の製造が容易で、製造コストを削減することが可能となる。
【００５６】
また、螺旋状溝３５にグリース等の潤滑油を充填すれば、潤滑油がキーロックカラー７の内周面７１とステアリングシャフト３の外周面３１との間に長期間にわたって供給され、安定した所定のすべりトルクを長期間にわたって維持することが可能となる。
【実施例６】
【００５７】
図８（１）は本発明の実施例６のステアリングシャフトとキーロックカラーとの嵌合部を示す拡大縦断面図、図８（２）は図８（１）のＤ−Ｄ断面図である。以下の説明では、上記実施例と異なる構造部分と作用についてのみ説明し、重複する説明は省略する。また、上記実施例と同一部品には同一番号を付して説明する。
【００５８】
図８（１）、（２）に示すように、本発明の実施例６では、キーロックカラー７の軸方向の全長Ｌ１にわたって、円周上の対向する２箇所に、角度α１、α１の範囲に中空円弧状部７６、７６が形成されている。この中空円弧状部７６、７６の内周面７６１、７６１の直径Ｄ１は、このキーロックカラー７の自由状態において、ステアリングシャフト３の自由状態における外周面３１の直径ｄ１よりも小さくしている。
【００５９】
また、キーロックカラー７の軸方向の全長Ｌ１にわたって、円周上の対向する２箇所に、逃げ部としての拡幅部７７、７７が形成されている。拡幅部７７、７７は、中空円弧状部７６、７６の両端に接続して形成され、拡幅部７７、７７の内側面７７１の幅Ｗは、ステアリングシャフト３の自由状態における外周面３１の直径ｄ１よりも大きくしている。
【００６０】
従って、キーロックカラー７の拡幅部７７、７７は、ステアリングシャフト３の外周面３１との間が、非接触の非接触部を形成している。また、中空円弧状部７６、７６の内周面７６１、７６１だけを、ステアリングシャフト３の外周面３１と弾性接触させれば済むため、所定の締代を得ることが容易となる。
【００６１】
この中空円弧状部７６、７６の角度α１、α１を変えることで、弾性接触面の面積を変え、キーロックカラー７の内周面７６１、７６１とステアリングシャフト３の外周面３１との間に作用するすべりトルクを所定の値に設定することができる。
【００６２】
そのため、ステアリングシャフト３やキーロックカラー７の製造誤差、例えば外周面３１や中空円弧状部７６、７６の内周面７６１、７６１の曲がりや、外周面３１や中空円弧状部７６、７６の内周面７６１、７６１の直径寸法の誤差があっても、キーロックカラー７の内周面７６１、７６１とステアリングシャフト３の外周面３１との間に作用するすべりトルクの変動が小さくなり、安定した所定のすべりトルクを得ることが容易になる。
【００６３】
また、キーロックカラー７とステアリングシャフト３の製造誤差があっても、角度α１を変更することで、安定したすべりトルクが得られるため、キーロックカラー７とステアリングシャフト３の製造が容易で、製造コストを削減することが可能となる。さらに、実施例６の形状に、図３、図４、図６、図７のように、ステアリングシャフト３とキーロックカラー７の接触面積を変更する機能を追加してもよい。
【００６４】
上記実施例１、実施例２、実施例４、実施例５のキーロックカラー７は中空円筒状に形成されているが、実施例３、実施例６のような非円形の筒状に成形してもよい。また、キーロックカラー７の成形方法は、鍛造、プレス成形、切削加工等いずれの成形方法でもよい。
【符号の説明】
【００６５】
１  コラム
１１  軸受
２  ステアリングホイール
３  ステアリングシャフト
３１  外周面
３２  縮径部
３３  テーパ
３４  潤滑油溝
３５  螺旋状溝
４１  上自在継手
４２  中間シャフト
４３  下自在継手
５  アッパーブラケット
６  チルト調整機構
７  キーロックカラー
７１  内周面
７２  キーロック孔
７３  拡径部
７４  中空円筒状部
７５  四角筒状部
７５１  辺部
７５２  角部
７６  中空円弧状部
７６１  内周面
７７  拡幅部
７７１  内側面
８  ロックキー
８１  矢印
【図１】
2010163115.tif 000003
【図２】
2010163115.tif 000004
【図３】
2010163115.tif 000005
【図４】
2010163115.tif 000006
【図５】
2010163115.tif 000007
【図６】
2010163115.tif 000008
【図７】
2010163115.tif 000009
【図８】
2010163115.tif 000010